(57)【要約】【課題】  ゴルフボールを安定して支持すると同時に、ゴルフボールとの間の抵抗を低減してゴルフボールの飛距離を伸ばすことのできるゴルフティを提供することを課題とする。【解決手段】  台座部６の上面に植毛部８を設けて植毛部８でゴルフボールを支持するゴルフティ２を提供する。植毛部８は、垂直方向に延びる短い毛束１０と、台座部６の外方向に向かって傾斜しつつ上方に延びる長い毛束１２が規則的に環状に配置されて形成されており、短い毛束１０の先端部がゴルフボールの底部を支持すると同時に、長い毛束１２の先端部が、規則的に弾性変形してゴルフボールのより高い位置を安定して支持する。【選択図】  図１
2006340905.tif 000002
【特許請求の範囲】
【請求項１】
地面又は芝に刺し込むことのできる棒状の基部と、当該基部の上端に基部に対して垂直に設けられる台座部と、当該台座部の上面に固定された複数の毛束から成る植毛部から構成されるゴルフティであって、
前記植毛部が、台座部に対して垂直方向に延びる短い毛束と、外方向に傾斜しつつ上方に延びる長い毛束が、規則的に配置されることにより構成されており、
前記短い毛束の先端部が、搭載されるゴルフボールの下部を支持すると同時に、前記長い毛束の先端部が、搭載されるゴルフボールの下部であって短い毛束の先端部の到達位置よりも高い位置を支持することを特徴とするゴルフティ。
【請求項２】
植毛部を構成する長い毛束は、台座部に垂直な方向に対して斜め外方向に２．０度以上７．０度以下の角度で傾斜していることを特徴とする請求項１に記載のゴルフティ。
【請求項３】
台座部に固定された長い毛束の先端部の高さが、当該台座部に固定された短い毛束の先端部の高さよりも１．０ｍｍ以上４．０ｍｍ以下高くなっていることを特徴とする請求項１又は２に記載のゴルフティ。
【請求項４】
台座部の上面に、少なくとも８個の植毛孔が環状に配置されており、少なくとも４束の長い毛束と少なくとも４束の短い毛束が当該植毛孔に１束ずつ交互に固定されて植毛部を形成することを特徴とする請求項１，２又は３に記載のゴルフティ。
【請求項５】
台座部の上面に、少なくとも８個の植毛孔を備えており、該植毛孔は台座部の上面の中心から半径６．０ｍｍ以上１１．０ｍｍ以下の領域に環状に配置されており、長い毛束と短い毛束が当該植毛孔に１束ずつ交互に固定されて植毛部を形成することを特徴とする請求項１，２又は３に記載のゴルフティ。
【請求項６】
台座部の上面に、少なくとも８個の植毛孔が環状に配置されており、長い毛束が植毛される植毛孔若しくは短い毛束が植毛される植毛孔のいずれか一方に対応するマーキングが行われていることを特徴とする請求項１，２又は３に記載のゴルフティ。
【請求項７】
植毛部の長い毛束と短い毛束を構成する毛の直径が、０．３ｍｍ以上０．７ｍｍ以下であり、好ましくは０．４ｍｍ以上０．６ｍｍ以下であることを特徴とする請求項１、２又は３に記載のゴルフティ。
【請求項８】
短い毛束を構成する毛の直径が、０．６ｍｍ以上０．７ｍｍ以下であり、長い毛束を構成する毛の直径が０．３ｍｍ以上０．４ｍｍ以下であることを特徴とする請求項１，２又は３に記載のゴルフティ。
【請求項９】
植毛部の短い毛束と長い毛束を構成する毛の本数が、１束当たり１０本以上２０本以下であり、好ましくは１束当たり１２本以上１６本以下であることを特徴とする請求項１，２又は３に記載のゴルフティ。
【請求項１０】
台座部の上面に少なくとも８個の植毛孔が環状に配置されており、長い毛束が固定される植毛孔の側壁は、斜め外方向に２．０度以上７．０度以下の角度で傾斜しており、長い毛束が植毛部の側壁に沿って固定されることにより、長い毛束が基部の中心軸に対して斜め外方向に２．０度以上７．０度以下の角度で傾斜することを特徴とする請求項１，２又は３に記載のゴルフティ。
【請求項１１】
台座部の上面に少なくとも８個の植毛孔が環状に配置されており、台座部の上面の植毛孔よりも内側に凹部もしくは円形の溝を備えていることを特徴とする請求項１，２又は３に記載のゴルフティ。
【請求項１２】
地面又は芝に刺し込むことのできる棒状の基部と、当該基部の上端に基部に対して垂直に設けられる円錐台形状の台座部と、台座部の上面に固定された複数の毛束から成る植毛部から構成されるゴルフティであって、
前記植毛部が、台座部の上面に仮想される２以上の同心円上に配置される長い毛束と短い毛束とから構成されており、
前記長い毛束は、最も外側に仮想された円上であって長い毛束同士の間隔が均等となる位置に配置されて、外方向に傾斜しつつ上方に延びるように固定されており、
前記短い毛束は、内側に仮想された１又は２以上の円上であって、同一の円上に配置された短い毛束同士の間隔が均等となる位置に配置されて、台座部の上面に対して垂直方向に延びるように固定されており、
短い毛束の先端部が、搭載されるゴルフボールの下部を支持すると同時に、
長い毛束の先端部が、搭載されるゴルフボールの下部であって短い毛束の先端部の到達位置よりも高い位置を支持することを特徴とするゴルフティ。
【請求項１３】
地面又は芝に刺し込むことのできる棒状の基部と、当該基部の上端に基部に対して垂直に設けられる円錐台形状の台座部と、台座部の上面に固定された複数の毛束から成る植毛部から構成されるゴルフティであって、
前記植毛部が、台座部の上面の中心を重心とする仮想された正多角形の頂点の位置にバランス良く配置される少なくとも３束の短い毛束と、台座部の上面の中心と重心の一致する正多角形の頂点の位置にバランス良く配置される少なくとも３束の長い毛束とから構成されており、
前記短い毛束は、台座部の上面に対して垂直方向に延びるように配置されており、
前記長い毛束は、外方向に傾斜しつつ上方に延びるように配置されており、
短い毛束の先端部が、搭載されるゴルフボールの下部をバランス良く支持すると同時に、
長い毛束の先端部が、搭載されるゴルフボールの下部であって短い毛束の先端部の到達位置よりも高い位置をバランス良く支持することを特徴とするゴルフティ。
【請求項１４】
台座部と、当該台座部の上面に固定された複数の毛束から成る植毛部から構成されるゴルフティであって、
前記植毛部が、台座部に対して垂直方向に延びる短い毛束と、外方向に傾斜しつつ上方に延びる長い毛束とが、規則的に環状に配置されることにより構成されており、
前記短い毛束の先端部が、搭載されるゴルフボールの下部を支持すると同時に、前記長い毛束の先端部が、搭載されるゴルフボールの下部であって短い毛束の先端部の到達位置よりも高い位置を支持することを特徴とするゴルフティ。
【請求項１５】
台座部に、ゴルフ練習場のボール供給装置に固定可能な取付部を備えていることを特徴とする請求項１４に記載のゴルフティ。
【発明の詳細な説明】
【技術分野】
【０００１】
本発明は、ゴルフ場で使用するゴルフティ、若しくはゴルフ練習場や家庭等で使用するゴルフティに関する。特に、ボールとの接触部分が複数の毛束から構成されるブラシ状となっているゴルフティに関する。
【背景技術】
【０００２】
ゴルフコースで第１打を打つ際には、ゴルフボールを打ティやすい高さに保持するためのゴルフティをしばしば使用する。従来のゴルフティは、木製又は樹脂製の棒状のものであり、一端部が地面又は芝に刺し込むことのできるように細く尖っており、他端部がゴルフボールの下部を支えることができるように若干大きく広がって半球状のボール受け部を形成している。
【０００３】
従来のゴルフティのボール受け部の径は、ゴルフボールの径よりもかなり小さい。ボール受け部とゴルフボールは、実質的に円形の領域で接触しているが、ボール受け部が小さいことから接触面積は非常に小さく、ボールの安定性が悪い。このため、一旦ゴルフティに置いたゴルフボールが転がり落ちてしまうことがしばしばある。ゴルフティに安定してゴルフボールをのせるための一つの改善方法として、ボール受け部を大きくすることが考えられる。しかし、従来のゴルフティのボール受け部を大きくしてゴルフボールとの接触面積を広げると、ゴルフボールとゴルフティの接触抵抗が増加する。ゴルフボールとゴルフティの接触抵抗の増加は、ゴルフボールの飛距離の低下につながるために、できる限り避ける必要がある。このため、従来のゴルフティにおいて、ボール受け部を大きくすることは好ましくない。
【０００４】
また従来のゴルフティは、プレイヤーがクラブでゴルフボールとボール受け部を同時に打ったときに、クラブに反力を与える。プレイヤーがゴルフティを打って反力を感じたとき、プレイヤーはクラブの振り抜き感が悪くなり、往々にしてクラブのヘッドスピードが落ちてしまう。この結果ゴルフボールに伝えられる運動エネルギーが減少し、ゴルフボールの飛距離が落ちる。
【０００５】
更に、従来のゴルフティは、クラブで打たれたときに地面若しくは芝から抜けて飛んでいき、紛失する恐れがあった。紛失した樹脂製のゴルフティは、ゴルフ場のゴミとなったり、芝刈り機の歯に噛みこまれて芝刈り機を損傷するという問題点も指摘されてきた。
【０００６】
上記のような従来のゴルフティの様々な問題点を改善すべく、種々のゴルフティが開示されている。例えば、特許文献１には、ボール受け部の先端が同一の高さとなるように複数に分岐しており、分岐部の先端部でゴルフボールを支えるゴルフティが開示されている。ボール受け部の先端が複数に分岐していることで、ボール受け部とゴルフボールとの接触面積が従来のゴルフティよりも小さくなっており、接触抵抗が低減されている。このような構成を有する特許文献１のゴルフティは、ゴルフボールの飛距離を伸ばす効果が期待される。しかしながら、特許文献１のゴルフティのボール受け部の直径は、従来のゴルフティのものとほとんど変わりなく、ゴルフティに置かれるゴルフボールの安定性は改善されていない。
【０００７】
特許文献２には、棒状の基部の上部に台座部が設けられており、台座部の上面に垂直に延びる毛束が環状に植毛されたゴルフティが開示されている。特許文献２のゴルフティは、環状に植毛された毛束の先端部が点接触してゴルフボールを保持しており、ゴルフボールとの接触面積が従来のゴルフティよりも小さいために、接触抵抗が低減されている。毛束を構成する１本１本の毛は樹脂製で充分細く、スイング時にゴルフクラブのヘッドが接触すると、容易に曲げられる。従って、プレイヤーがスイングの際に毛束を叩いた場合でも、プレイヤーが感じる反力は従来よりも小さくなり、振り抜き感の向上と、飛距離の低下を避ける効果が得られる。また、特許文献２のゴルフティは、毛束の部分を打たれても、ゴルフティ全体が地面又は芝から抜けて飛んでしまう可能性が低く、ゴルフティの紛失を防止することができる。特許文献２と同様の構成を有するゴルフティは、特許文献３及び４に開示されている。
【０００８】
特許文献２，３及び４のゴルフティは、均一な長さの毛束が台座部に垂直に植毛されている。この毛束の先端部に球体であるゴルフボールを載せると、毛束を構成する一部の毛は先端部で好適にゴルフボールを支持するものの、台座部のより中心に近い位置に植毛されている一部の毛は、ゴルフボールがより低い位置まで到達するためにゴルフボールの表面で押さえつけられて、不規則に弾性変形した状態でゴルフボールを支持する。一方で、台座部の外周部に近い位置に植毛されている一部の毛は、ゴルフボールの表面に届かず、ゴルフボールを全く支持しない。このため、特許文献２，３及び４のゴルフティにゴルフボールを載せると、毛束の一部の毛だけがゴルフボールを支持した状態となることに加えて、ゴルフボールの下側で押さえつけられて弾性変形した毛が元の状態に戻ろうとして、ボールを押し上げる方向に力を作用させる。
【０００９】
この結果、特許文献２，３及び４のゴルフティは、従来のゴルフティと同等以上に載せられたゴルフボールの安定性が悪い。例えば、プレイヤーがゴルフティの上にゴルフボールを落としてのせる時、ゴルフボールがわずかにゴルフティの中心からずれた場合には、ゴルフボールが転がり落ちてしまう。またゴルフティが若干傾いていた場合や、弱い風が吹いた場合であっても、ゴルフボールはゴルフティから転がり落ちてしまう。
【００１０】
特許文献２，３及び４のゴルフティにゴルフボールをのせると、ゴルフボールの下で不規則に弾性変形した毛がゴルフボールを押して、ゴルフボールをゴルフティ上で動かしてしまうという不具合も発生する。ゴルフボールの位置がゴルフティ上で変わってしまうことは、特にゴルフボールの表面に描かれたマークによって、打球方向を確かめようとするプレイヤーにとっては非常に不都合な現象である。また、ゴルフボールをのせた状態でゴルフティを手で保持して地面や芝に刺す場合も、毛束からの反力を受けるためにゴルフボールを持ちにくくなり、使い勝手が悪い。
【００１１】
特許文献５には、棒状の基部の上部に台座部が設けられており、台座部の上面には台座の上方に向かって延びる毛束が植毛されたゴルフティが開示されている。毛束の先端部は、ゴルフボールの表面に略一致する球面を形成するように加工されており、ゴルフボールを安定して支持することができる。しかし、特許文献５のゴルフティにおいては、ゴルフボールとゴルフティの先端部の接触面積が広いために抵抗が大きく、打球の飛距離が従来のゴルフティよりも落ちることがある。また毛束の先端部をゴルフボールの表面と略一致する形状に加工することは困難であることから、生産効率が悪く、製造コストがかかる。
【００１２】
特許文献６には、棒状の基部の上部に台座部が設けられており、台座部の上面には台座の斜め上方に向かって延びる複数の毛束が植毛されたゴルフティが開示されている。このようなゴルフティにおいては、毛束を台座に植毛する角度を最適化する必要がある。もし毛束の傾き角が小さ過ぎた場合には、ゴルフボールに対する毛束の角度はほぼ直角となって、球形のボールに好適に接触する毛の本数が少なくなる。このような構成を有する特許文献６のゴルフティは、特許文献２，３及び４のゴルフティと同様に、ゴルフボールを安定して支持する効果が得られなくなる。一方、毛束の傾き角が大き過ぎた場合には、ゴルフボールから垂直方向にかかる荷重を毛束が支えられないために、毛束が倒れてゴルフボールが毛束の中に沈み込み、プレイヤーが意図した位置でボールを保持できない。毛束の中にゴルフボールが沈み込むと、毛束とゴルフボールの接触面積が増えて、ゴルフボールとゴルフティとの接触抵抗が大きくなり、特許文献６のゴルフティは、従来のゴルフティを使用した場合よりも、ゴルフボールの飛距離が落ちてしまう恐れすらある。
【００１３】
このように、特許文献６のゴルフティにおいては、毛束を植毛する角度を最適化しなければ、ティに載せられたゴルフボールの安定した支持と、ゴルフボールとの接触抵抗の低減による打球の飛距離の確保という２つの課題解決を図ることができないにもかかわらず、このような検討内容は開示されていない。加えて、文献６に記載のゴルフティにおいては、毛束の植毛方法が非常に難しく、毛束の先端部の長さの調整にも手間がかかるという問題点がある。
【００１４】
特許文献７には、棒状の基部の上部に台座部が設けられており、台座部の上面には台座に垂直に延びる長い毛束と短い毛束が植毛されたゴルフティが開示されている。しかし特許文献７は、長い毛束と短い毛束の長い毛束と短い毛束の高さについて、何ら具体的に開示されていない。このため、特許文献７のゴルフティは、長い毛束と短い毛束の両方が安定してゴルフボールを支持することができず、短い毛束とゴルフボールが接触せずに長い毛束の先端部のみでゴルフボールを支持したり、長い毛束が弾性変形して不規則に折れ曲がった状態でゴルフボールを支持する恐れがある。更に、特許文献７に開示されている短い毛束の配置では、ゴルフボールとの接触面積（領域）が非常に狭い。この結果、特許文献７のゴルフティは、特許文献２，特許文献３,及び特許文献４と同様に、安定してゴルフボールを保持することのできないゴルフティであることが明らかである。
【００１５】
特許文献８には、ボール受け部に短い弦状の素材が配列されているゴルフティが開示されている。弦状の素材は、外周部には１個ずつ漏斗状に配列され、中心部には１個ずつ直立状に配列されている。直立状に配置されている弦状の素材は、単に打撃時の衝撃吸収部として機能しており、ゴルフボールは、外周部に漏斗状に配置された弦状の素材によってのみ支持される。
【００１６】
特許文献８のゴルフティは、ゴルフボールを実質的に支持する弦状の素材の数が少ないために、１個ずつの弦状の素材が十分な強度を持って構成される必要がある。このため、たとえこの弦状の素材が柔軟性を備えていたとしても、プレイヤーは、クラブでゴルフボールと弦状の素材を同時に打ってしまったとき、弦状の素材からの反力を感じてしまう。このように、特許文献８のゴルフティは、クラブの振り抜き感が十分に改善されていない。更に、特許文献８のゴルフティは、特許文献２，３，４，６，７のゴルフティと同様に、ゴルフボールを支持する部材の個数、長さ、配置もしくは傾斜角度の最適化が全く行われていないため、ゴルフボールを安定して支持できないものである。
【００１７】
また、従来から、ゴルフ練習場又は家庭において、特許文献９に示すようにゴム等の柔軟な素材で構成された円筒状のゴルフティが使用されている。
【特許文献１】特表平５−５０８０８７号公報
【特許文献２】実用新案公告昭３５−３０７１７号公報
【特許文献３】実開平７−２１０８１号公報
【特許文献４】特表２００２−５３６０８７号公報
【特許文献５】イギリス国  特開２  ２５８  １６１Ａ号公報
【特許文献６】実開昭５４−１０７４６５号公報
【特許文献７】実用新案登録第３０２１５４３号公報
【特許文献８】特開２００５−１１８５３１号公報
【特許文献９】特開平５−１５６２５号公報
【発明の開示】
【発明が解決しようとする課題】
【００１８】
従来のゴルフティは、ゴルフボールを安定して支持することと、ゴルフボールとの間の接触抵抗を低減することと、スイング時に反力を感じさせずゴルフクラブの振り抜き感を良好にすることを全て同時に達成することが不可能であった。本願発明のゴルフティは、従来の問題点を克服し、ゴルフボールを安定して支持し、ゴルフボールとの間の抵抗を低減し、ゴルフクラブの振り抜き感を良好にしてゴルフボールの飛距離を伸ばすことのできるゴルフティを提供することを課題として創作された。
【課題を解決するための手段】
【００１９】
請求項１の発明は、地面又は芝に刺し込むことのできる棒状の基部と、当該基部の上端に基部に対して垂直に設けられる台座部と、当該台座部の上面に固定された複数の毛束から成る植毛部から構成されるゴルフティに関するものである。本発明のゴルフティの植毛部は、台座部に対して垂直方向に延びる短い毛束と、外方向に傾斜しつつ上方に延びる長い毛束が規則的に環状に配置されて構成されており、短い毛束の先端部が搭載されるゴルフボールの下部を支持すると同時に、長い毛束の先端部が搭載されるゴルフボールの下部であって短い毛束の先端部の到達位置よりも高い位置を支持することを特徴とする。
【００２０】
請求項１のゴルフティは、垂直に植毛された短い毛束の先端部が、載せられるゴルフボールの下部をほとんど変形することなく支持する。一方、傾斜している長い毛束は、ゴルフボールと接触することによって、最初から傾斜していた方向に更に開くように、規則正しく弾性変形する。変形した長い毛束の先端部は、ゴルフボールに対して、短い毛束の先端部よりも高い一定の位置に到達して、変形前の位置に戻ろうとする力をゴルフボールに与える。この結果、本発明のゴルフティは、短い毛束と長い毛束によってゴルフボールを異なる２つの高さで支持する。しかも長い毛束は、ゴルフボールの外周部に、ゴルフティの中央部に向かう方向でゴルフボールの外周を締め付ける均等な力を加えている。このため、ゴルフボールは少ない毛束によって安定してしかも効率よく支持される。
【００２１】
長い毛束がゴルフボールの外周に均等な力を作用させることにより、一旦ゴルフティ上に載せられたゴルフボールの位置はほとんど動かない。また、ゴルフボールがゴルフティの植毛部の中心から外れた位置に載せられた場合には、長い毛束の一部分が大きく変形し、その結果一部分の長い毛束だけが他の部分の長い毛束よりも大きな力をゴルフボールに作用させる。ゴルフボールは、一部の長い毛束からの力によって植毛部の中心とゴルフボールの中心が略一致する位置に移動し、この移動の後は外周に長い毛束からの均等な力を受けて安定する。このように、本発明のゴルフティは、ゴルフボールを安定して支持するだけでなく、ゴルフボールがゴルフティ上で中心からずれた不安定な位置に載せられた場合に、その位置を修正する作用を備えている。
【００２２】
しかも、本発明のゴルフティは、ゴルフボールを毛束の先端部で点支持しており、ゴルフボールと毛束の先端部との接触面積が小さい。このため、本発明のゴルフティとゴルフボールの接触抵抗は、非常に低減されている。更に、長い毛束と短い毛束はスイング時にゴルフクラブのヘッドが接触すると容易に曲げられるために、プレイヤーが毛束を叩いた場合でも反力をほとんど感じない。この結果、本発明のゴルフティは、従来の木製又は樹脂製の棒状のゴルフティと比較すると、ゴルフボールを安定して支持できると同時に、接触抵抗の低減とクラブの振り抜き感の良さを実現しており、ゴルフボールの飛距離をのばすことができる。また、本発明のゴルフティは、毛束の部分を打っても、ゴルフティ全体が地面又は芝から抜けて飛んでしまうことがなく、ゴルフティの紛失を防止することができる。
【００２３】
本発明のゴルフティは、棒状の基部を地面又は芝に刺し込んで固定する。ゴルフボールとゴルフティを手で保持して地面や芝に刺す場合、ゴルフボールが押しつけられたゴルフティの長い毛束は、最初から傾斜していた外方向に更に開くように、規則正しく弾性変形し、不規則な反力を発生させることがない。このため、プレイヤーは違和感を感じることなく、ゴルフボールとゴルフティを一緒に持って、地面又は芝に射し込むことができる。
【００２４】
請求項２のゴルフティの植毛部を構成する長い毛束は、台座部の垂直方向に対して、斜め外方向に２．０度以上７．０度以下の角度で傾斜していることを特徴とする。
【００２５】
本願発明の発明者は、鋭意検討を行った結果、ゴルフティの植毛部を構成する長い毛束の好ましい角度を特定するに至った。ここでいう長い毛束の好ましい角度とは、ゴルフボールを載せた際に、台座部の外方向に向かって規則正しく弾性変形し、その先端部がゴルフボールの外周に一定の高さに到達し、ゴルフボールに対して内側に向かう均等な力を加えて支持できる角度のことを言う。
【００２６】
種々の検討の結果、長い毛束の傾斜角度が２．０度よりも小さい場合には、長い毛束がボールを載せたときに不規則に折れ曲がってゴルフボールに接触してしまい、一部の毛がゴルフボールの底面に入り込んで、ゴルフボールを上方に持ち上げる不均一な力を作用させることが判明した。また、長い毛束の傾斜角度を７．０度よりも大きくした場合には、毛束の倒れ量が大きくなるために長い毛束の毛の多くがゴルフボールに接触しなくなり、ゴルフボールが短い毛束に沈み込んでしまう。このため、短い毛束がゴルフボールの表面で押さえつけられて不規則に弾性変形した状態でゴルフボールに接触し、ゴルフボールを上方に持ち上げる不均一な力を作用させると同時に、毛束とゴルフボールとの接触抵抗が高くなり、ゴルフクラブの振り抜き感が悪くなる現象が発生した。
【００２７】
このように、本発明のゴルフティにおいて、長い毛束は台座部の垂直方向に対して外側に２．０度以上７．０度以下の角度で傾斜していることが好ましく、当該範囲を超えて植毛された長い毛束では、ゴルフボールを安定して支持し、しかもゴルフボール及びゴルフクラブとの抵抗の低い状態で支持する作用効果が得られないことが明らかとなった。
【００２８】
請求項３のゴルフティは、台座部に固定された長い毛束の先端部の高さが、当該台座部に固定された短い毛束の先端部の高さよりも１．０ｍｍ以上４．０ｍｍ以下高くなっていることを特徴とする。
【００２９】
発明者は、種々の検討の結果、ゴルフボールとの間の接触抵抗値が低く、しかも少ない毛束で安定してゴルフボールを支持することのできる短い毛束と長い毛束の高さの差を特定することに成功した。即ち、短い毛束の先端部と長い毛束の先端部の高さの差が１．０ｍｍよりも小さいゴルフティは、短い毛束が支持するゴルフボールの高さと長い毛束が支持するボールの高さの差が十分ではなく長い毛束の毛の変形量が小さいために、ゴルフボールをほぼ同一の高さで垂直方向にのみ支持してしまい、ゴルフボールの安定性が不十分であることが判明した。一方、短い毛束の先端部と長い毛束の先端部の高さの差が４．０ｍｍよりも大きいゴルフティは、しばしばゴルフボールの下面が短い毛束の先端部に到達せず、長い毛束のみでゴルフボールを支持してしまうために、この場合においてもゴルフボールの安定性が不十分であることが判明した。このように、台座部に固定された長い毛束の先端部の高さは、当該台座部に固定された短い毛束の先端部の高さよりも１．０ｍｍ以上４．０ｍｍ以下高くなっていることが好ましく、毛束の長さの差が当該範囲を超えたゴルフティではゴルフボールを安定して支持できないことが明らかとなった。
【００３０】
請求項４のゴルフティは、台座部の上面に、少なくとも８個の植毛孔を環状に配置し、少なくとも４束の長い毛束と少なくとも４束の短い毛束を当該植毛孔に１束ずつ交互に固定して植毛部を形成することを特徴とする。これにより、短い毛束が規則正しくゴルフボールを支持すると同時に、長い毛束が短い毛束よりも高い位置でゴルフボールを規則正しく支持することが可能となる。
【００３１】
ここで、植毛孔の数は８個以上とする事が可能であるが、その場合でも、植毛孔の数を偶数とすることが好ましい。偶数の植毛孔の全てに短い毛束と長い毛束を交互に植毛することにより、形成される植毛部は、短い毛束と長い毛束が必ず交互に配置されており、同じ長さの毛束が隣り合って植毛されることがない。この結果、短い毛束と短い毛束の間の間隔を均等にすることができると同時に、長い毛束と長い毛束の間の間隔も均等にすることが可能となり、ゴルフボールを少ない毛束で効率よく安定して均等な力で支持することが可能となる。
【００３２】
請求項５のゴルフティは、台座部の上面に少なくとも８個の植毛孔を備えており、植毛孔が台座部の上面の中心から半径６．０ｍｍ以上１１．０ｍｍ以下の領域に環状に配置されており、長い毛束と短い毛束が当該植毛孔に１束ずつ交互に固定されて植毛部を形成することを特徴とする。植毛孔に、長い毛束と短い毛束を１束ずつ交互に固定することにより、毛束の先端部は台座部の上方であって、台座部の上面の中心からほぼ半径６．０ｍｍ以上１１．０ｍｍ以下の領域に環状に配置されることになる。
【００３３】
検討の結果、植毛孔が台座部の上面の中心から半径６．０ｍｍよりも内側の領域に配置された場合、そこに植毛される長い毛束と短い毛束の先端部は、大部分が台座部の上面の中心から半径９．０ｍｍ以内の領域にのびることが判明した。そしてこの領域にある毛束の先端部は、載せられたゴルフボール下面の中心部を支持することになり、この領域の毛束だけではゴルフボールを安定して支持できないことが明らかになった。ゴルフボールの下面のより外側の位置を支持するためには、長い毛束を外側に更に傾斜させる構成が考えられるが、先に述べたように長い毛束の外側に傾斜する角度は２．０度から７．０度が好適であり、これ以上の角度で植毛された長い毛束はゴルフボールを安定して支持するために寄与できない。このため、植毛孔の位置は、そこに植毛される長い毛束の角度に関わらず半径６．０ｍｍよりも外側の領域に配置することが好ましいことが明らかとなった。
【００３４】
一方、植毛孔が台座部の上面の中心から半径１１．０ｍｍよりも外側の領域に配置された場合は、ここに植毛される長い毛束の先端部の大半が半径１１．０ｍｍよりも外側の領域に位置することが明らかである。検討の結果、半径１１．０ｍｍよりも外側の領域に位置する長い毛束は、先端部の一部がゴルフボールと接触せず、ゴルフボールを支持できなかった。そして、植毛孔が台座部の上面の中心から半径１１．０ｍｍよりも外側の領域に配置されるゴルフティは、ゴルフボールを支持する力が弱くなることが確認された。以上の検討結果から、植毛孔を台座部の上面の中心から半径６．０ｍｍ以上１１．０ｍｍ以下の領域に環状に配置することで、少ない毛束で効率よく安定してゴルフボールを支えることが可能となることが判明した。
【００３５】
請求項６のゴルフティは、台座部の上面に、少なくとも８個の植毛孔が環状に配置されており長い毛束が植毛される植毛孔若しくは短い毛束が植毛される植毛孔のいずれか一方に対応するマーキングが行われていることを特徴とする。
【００３６】
長い毛束が植毛される植毛孔もしくは短い毛束が植毛される植毛孔のいずれか一方に対応してマーキングが行われていることにより、確実に長い毛束を植毛する植毛孔と短い毛束を植毛する植毛孔を判別して植毛を行うことが可能となる。本発明により、長い毛束と短い毛束を確実に植毛したゴルフティを効率よく迅速に作製することができる。尚、マーキングとしては、台座部のいずれか一方の植毛孔の周囲に線状の凸部を形成する方法や、塗料による目印等を適用することが可能である。
【００３７】
請求項７のゴルフティは、ゴルフティの植毛部の長い毛束と短い毛束を構成する毛の直径が、０．３ｍｍ以上０．７ｍｍ以下であり、好ましくは毛の直径が０．４ｍｍ以上０．６ｍｍ以下であることを特徴とする。
【００３８】
直径が０．３ｍｍよりも細い毛を短い毛束に適用した場合、毛束としての剛性が不足してゴルフボールを一定の高さに支持することが困難である。本発明の毛束の太さを特定するにあたっては、毛束の材質を剛性の高いものに変更する検討も行ったが、直径が０．３ｍｍ未満でゴルフボールを安定して支持できる毛は、長い毛束に適用した場合に外側に倒れる変形をほとんど起こさず、ゴルフボールを長い毛束だけで支持してしまうために、本願発明のゴルフティには適用できなかった。一方、直径が０．７ｍｍよりも太い毛を毛束に適用した場合、適用する毛の材質や毛束の本数に関わらずゴルフボールとの接触面積が増加し、接触抵抗が大きくなってボールの飛距離が従来のゴルフティよりも落ちるとともに、クラブの振り抜き感が悪いことが判明した。本発明のゴルフティは、植毛部の長い毛束と短い毛束を構成する毛の直径を、０．３ｍｍ以上０．７ｍｍ以下とすることで、安定してしかも接触抵抗が低い状態でゴルフボールを支持することができる。
【００３９】
更に検討を進めた結果、植毛部の長い毛束と短い毛束を構成する毛の直径を０．４ｍｍ以上０．６ｍｍ以下とすることで、本発明のゴルフティは、適用する毛の材質、剛性、毛束の本数及び毛の長さに関わらず安定してゴルフボールを支持できることが明らかとなった。
【００４０】
請求項８のゴルフティは、ゴルフティの植毛部を構成する毛束のうち、短い毛束を構成する毛の直径を、０．６ｍｍ以上０．７ｍｍ以下とし、長い毛束を構成する毛の直径を０．３ｍｍ以上０．４ｍｍ以下とすることを特徴とする。
【００４１】
短い毛束の毛に太い毛を適用することで、短い毛束の剛性が上がり、ゴルフボールを垂直に支える力がより大きくなる。この結果、ゴルフボールが毛束の中に沈み込んでゴルフボールと毛束の接触抵抗の値が大きくなることを防止できる。また、長い毛束の毛に短い毛束の毛よりも細い毛を適用することで、長い毛束が外周部に向かってより規則正しく変形しやすくなり、ゴルフボールの周囲をより均一に支えることが可能となる。
【００４２】
請求項９のゴルフティは、植毛部の短い毛束と長い毛束を構成する毛の本数が、１束当たり１０本以上２０本以下であり、好ましくは１束当たり１２本以上１６本以下であることを特徴とする。１束当たりの毛の本数が９本以下の場合には、支点が少ないために毛束全体としてのゴルフボールを支持する力が弱くなり過ぎる。一方、１束当たりの毛の本数が２１本以上の場合には、毛束とゴルフボールの接触面積が増えて、接触抵抗の値が大きくなってしまう。本発明のゴルフティは、植毛部の短い毛束と長い毛束を構成する毛の本数を、１束当たり１０本以上２０本以下とすることで、ゴルフティとゴルフボールの抵抗値を増加させることなく、しかも安定してゴルフボールを支持することを可能とする。更に検討を進めた結果、植毛部の短い毛束と長い毛束を構成する毛の本数を１束当たり１２本以上１６本以下とすることで、適用する毛の材質、強度、及び毛の長さに関わらず安定してゴルフボールを支持できることが明らかとなった。
【００４３】
請求項１０のゴルフティは、台座部の上面に少なくとも８個の植毛孔を環状に配置し、長い毛束が固定される植毛孔の側壁を斜め外方向に２．０度以上７．０度以下の角度で傾斜させ、長い毛束を植毛部の側壁に沿って固定することにより、長い毛束が基部の中心軸に対して、斜め外方向に２．０度以上７．０度以下の角度で傾斜させることを特徴とする。
【００４４】
請求項１１のゴルフティは、台座部の上面に少なくとも８個の植毛孔が環状に配置されており、台座部の上面の植毛孔よりも内側に凹部もしくは円形の溝を備えている事が好ましい。
【００４５】
台座部の上面に凹部もしくは円形の溝を備えることによって、台座部が加工される際のヒケ（成形時の収縮による変形）を低減し、台座部の各部の寸法を精度高く形成することが可能となる。特に凹部の近くに配置された植毛孔の形状を精度高く形成することが可能となり、毛束の角度が精度高く配置される。
【００４６】
請求項１２の発明は、地面又は芝に刺し込むことのできる棒状の基部と、当該基部の上端に基部に対して垂直に設けられる円錐台形状の台座部と、台座部の上面に固定された複数の毛束から成る植毛部から構成されるゴルフティに関する。本発明のゴルフティは、前記植毛部が、台座部の上面に仮想された２以上の同心円上に配置される長い毛束と短い毛束から構成される。長い毛束は、最も外側に仮想された円上であって長い毛束同士の間隔が均等となる位置に配置されて、外方向に傾斜しつつ上方に延びるように固定されている。短い毛束は、内側に仮想された１又は２以上の円上であって、同一の円上に配置された短い毛束同士の間隔が均等となる位置に配置されて、台座部の上面に対して垂直方向に延びるように固定されている。内側に配置された短い毛束の先端部が、搭載されるゴルフボールの下部を支持し、最も外側に配置された長い毛束の先端部が、搭載されるゴルフボールの下部であって短い毛束の先端部の到達位置よりも高い位置を支持することを特徴とする。
【００４７】
本発明のゴルフティは、短い毛束がゴルフボールのより中心に近い位置でゴルフボールを垂直に支持する。ゴルフボールの底部のより中心に近い位置ではボールの高低差が少ないために、短い毛束の大部分の毛は弾性変形を起こすことなく、ゴルフボールの底部に接触して効率よくゴルフボールを支持する。一方、最も外側に配置される傾斜している長い毛束は、ゴルフボールと接触することによって、最初から傾斜していた方向に更に開くように、規則正しく弾性変形する。変形した長い毛束は、先端部がゴルフボールの一定の高さの位置に到達しており、変形前の位置に戻ろうとする力をゴルフボールに与える。本発明のゴルフティは、短い毛束と長い毛束の台座部中心の半径方向の植毛位置が異なるために、ゴルフボールのより離れた高さの異なる位置を支持することができ、この結果ゴルフボールを安定して支持することができる。本発明のゴルフティは、ゴルフボールを毛束の先端部で多点支持しており、ゴルフティとゴルフボールの接触抵抗が従来よりも低減されている。
【００４８】
請求項１３の発明は、地面又は芝に刺し込むことのできる棒状の基部と、当該基部の上端に基部に対して垂直に設けられる円錐台形状の台座部と、台座部の上面に固定された複数の毛束から成る植毛部から構成されるゴルフティに関する。本発明のゴルフティは、植毛部が、台座部の上面の中心を重心とする仮想された正多角形の頂点の位置にバランス良く配置される少なくとも３束の短い毛束と、台座部の上面の中心と重心の一致する正多角形の頂点の位置にバランス良く配置される少なくとも３束の長い毛束とから構成されている。短い毛束は、台座部の上面に対して垂直方向に延びるように配置されており、長い毛束は、外方向に傾斜しつつ上方に延びるように配置されている。短い毛束の先端部が、搭載されるゴルフボールの下部をバランス良く支持すると同時に、長い毛束の先端部が、搭載されるゴルフボールの下部であって短い毛束の先端部の到達位置よりも高い位置をバランス良く支持する。
【００４９】
ここでいう毛束の位置のバランスの良い配置とは、垂直に立てたゴルフティの中央にゴルフボールを置いたときに、短い毛束一束毎にかかるゴルフボールの荷重が全て均一となり、且つ長い毛束一束毎にかかるゴルフボールの荷重が全て均一となるような配置のことをいう。本発明においては、短い毛束の数と、長い毛束の数が一致しなくともよい。又、短い毛束にかかる荷重と、長い毛束にかかる荷重が一致しなくともよい。本発明のゴルフティは、短い毛束と長い毛束を各々バランス良く配置することにより、毛束が環状に配置されない場合であっても、接触抵抗を低減した状態で、安定してゴルフボールを支持することができる。
【００５０】
請求項１４の発明は、台座部と、当該台座部の上面に固定された複数の毛束から成る植毛部から構成されるゴルフティに関する。本発明のゴルフティは、植毛部が、台座部に対して垂直方向に延びる短い毛束と、外方向に傾斜しつつ上方に延びる長い毛束とが、規則的に環状に配置されることにより構成されており、短い毛束の先端部が、搭載されるゴルフボールの下部を支持すると同時に、長い毛束の先端部が、搭載されるゴルフボールの下部であって短い毛束の先端部の到達位置よりも高い位置を支持することを特徴とする。
【００５１】
本発明のゴルフティは、台座部を地面等に置くことで、植毛部がゴルフボールを保持することが可能である。本発明は、通常ではゴルフティを利用できない固い地面等であってもティをアップすることのできるゴルフティを提供する。
【００５２】
請求項１５のゴルフティは、台座部に、ゴルフ練習場のボール供給装置に固定可能な取付部を備えていることを特徴とする。本発明は、ゴルフ練習場のボール供給装置に適用されて、ゴルフボールを安定して支持し、ゴルフボールとの間の接触抵抗を低減し、スイング時に反力を感じさせずゴルフクラブの振り抜き感が良好なゴルフティを提供する。
【発明の効果】
【００５３】
本願発明のゴルフティは、ゴルフボールとの間の接触抵抗を低減した状態で、安定してゴルフボールを支持することができる。本願発明によって、クラブの振り抜き感が良く、従来よりもボールの飛距離を伸ばすことができるゴルフティが提供される。
【発明を実施するための最良の形態】
【００５４】
以下に発明を実施するための最良の形態を列記する。
（形態１）  ゴルフティは、地面又は芝に刺し込むことのできる棒状の基部と、当該基部の上端に基部に対して垂直に設けられる台座部と、当該台座部の上面に固定された複数の毛束から成る植毛部から構成されており、植毛部が、台座部に対して垂直方向に延びる短い毛束と、外方向に傾斜しつつ上方に延びる長い毛束とが、規則的に環状に配置されることにより構成されている。短い毛束の先端部が、搭載されるゴルフボールの下部を支持すると同時に、長い毛束の先端部が、搭載されるゴルフボールの下部であって短い毛束の先端部の到達位置よりも高い位置を支持する。
（形態２）  ゴルフティの植毛部を形成する長い毛束の台座部下面からの高さが４７．０ｍｍ以上４９．０ｍｍ以下のとき、短い毛束の高さは４３．０ｍｍ以上４６．０ｍｍ以下である。
（形態３）  ゴルフティの植毛部を形成する長い毛束の台座部下面からの高さが３９．０ｍｍ以上４１．０ｍｍ以下のとき、短い毛束の高さは３５．０ｍｍ以上３８．０ｍｍ以下である。
（形態４）  ゴルフティの植毛部を形成する長い毛束の台座部下面からの高さが３２．０ｍｍ以上３４．０ｍｍ以下のとき、短い毛束の高さは２８．０ｍｍ以上３１．０ｍｍ以下である。
（形態５）  毛束は、ポリアミド、ポリプロペン、ポリブティレンテレフタレート、ポリエティレンテレフタレート樹脂等の化学繊維若しくは豚毛等の天然繊維によって形成される。
（形体６）  毛束は、植毛部の長さよりも略２倍の長さを有する毛を二つ折りにして植毛部に押し込み、固定することによって形成される。
（形態７）  台座部は、上面の形状が半径１４．０ｍｍ以下の円形である円錐台形であり、上面の中心に、半径１．５ｍｍ以上５．０ｍｍ以下の凹部が形成されている。
（形態８）  台座部は、地面に静置可能な面積を持ち、柔軟な素材で形成されている。
（形態９）  台座部は、ゴルフ練習装置のゴルフボール供給手段に接続可能な取付部を有している。
【実施例】
【００５５】
（第１実施例）  図１に本実施例のゴルフティ２の側面図を模式的に示す。本実施例のゴルフティ２は、基部４と、台座部６と、植毛部８から構成される。
【００５６】
基部４はゴルフティ２の下部に設けられた棒状の部材である。基部４は、地面又は芝に刺し込むことのできるように下端部に向かうにつれて徐々に細くなるように形成されている。基部４は、地面に差し込むことのできる強度を有する樹脂、木材等の任意の素材で形成される。
【００５７】
基部４と台座部６の断面図を図２（ａ）に示す。台座部６は円錐台形状の外観を有している。即ち台座部６の上面の外周と下面の外周は円形に形成されており、これらの円の中心の位置が一致している。台座部の側面部は、上面と下面をつなぐようになめらかに形成されている。本実施例における台座部６の上面は、略平坦な半径１１．５ｍｍの円形であり、下面は半径１２．５ｍｍの円形となっている。台座部６の上面には、複数の植毛孔１４が配置されている。台座部の下面の中心に基部４の上端が半径０．５ｍｍ以上のなめらかな曲線で接続されている。基部４は、台座部６に対して垂直に接続されており、基部４の中心軸はゴルフティ２の中心軸と一致している。台座部６は、基部４と同一の素材で一体成形することができる。また、台座部６に植毛部８を形成しやすい素材を用い、基部４により硬質な素材を用いて、基部４と台座部６を別々に形成した後に両者を接合することも可能である。本実施例における基部４と台座部６は、同一の素材の樹脂により一体成形されて形成されている。
【００５８】
基部４と台座部６を樹脂で成形するには、基部４と台座部６を一体で成形できる金型であって、樹脂の注入口が成形される台座部６の側面の金型割線（パーティングライン）に対応する位置に設けられた金型を使用することが好ましい。樹脂の注入口が金型のこの位置に設けられることで、上面に植毛孔１４を有する台座部６を成形する際に非常に好ましい効果がもたらされる。即ち、台座部６上面の植毛孔１４に近い位置に注入口が設けられていることで、植毛孔１４の周囲では、充分圧力がかかった状態で樹脂の注入が行われるため、台座部を成形する際のヒケ（加工時の収縮変形）の発生が低減される。
【００５９】
台座部６の中央には、半径がほぼ１．５〜５．０ｍｍの円形の凹部７が形成されている。このような凹部７が形成されることによって、台座部６を成形する際のヒケが更に抑制される。この結果、特に凹部７の外側に配置される植毛孔の形状と傾斜角が精度高く成形される。尚、凹部７の代わりに、図２（ｂ）に示すように、円形の溝９を上面に成形することによっても、同様の効果を得ることができる。
【００６０】
台座部６の上面図を図３（ａ）に示す。台座部６の上面の凹部７の外側には、長い毛束と短い毛束を交互に環状に配置するために、１６個の植毛孔１４ａ，１４ｂ，１４ｃ，１４ｄ，１４ｅ，１４ｆ，１４ｇ，１４ｈ，１４ｉ，１４ｊ，１４ｋ，１４ｌ，１４ｍ，１４ｎ，１４ｏ，１４ｐが等間隔に配置されている。本実施例における植毛孔１４ａ〜１４ｐの断面形状は、全て半径１．２５ｍｍの円形である。植毛孔１４ａ〜１４ｐの中心から台座部６の上面の中心までの距離は、全て８．７５ｍｍとなっており、この内側に凹部７が形成されている。ここで、８個の植毛孔１４ａ，１４ｃ，１４ｅ，１４ｇ，１４ｉ，１４ｋ，１４ｍ，１４ｏは、植毛孔の側壁がゴルフティ２の中心軸に対して斜め外方向に３．０度傾斜しており、その開口部の中心から台座部６の上面の中心までの距離が、全て８．７５ｍｍとなっている。ここで、凹部７の代わりに円形の溝９を形成した台座部６の上面図を図３（ｂ）に示す。
【００６１】
台座部６の上面であって、斜め外方向に３．０度傾斜した植毛孔と凹部７の間の領域に、楕円形のマーキングが成形されている。本実施例においては、８個の植毛孔１４ａ，１４ｃ，１４ｅ，１４ｇ，１４ｉ，１４ｋ，１４ｍ，１４ｏのそれぞれに対応するように、８個の楕円形のマーキング１５ａ，１５ｂ，１５ｃ，１５ｄ，１５ｅ，１５ｆ，１５ｇ，１５ｈが成形されている。マーキング１５ａ〜１５ｈの形状は全て同一である。マーキング１５ａ〜１５ｈによって、斜め外方向に傾斜している植毛孔と、垂直な植毛孔の識別を容易に行うことができる。
【００６２】
台座部６の上面に、植毛部８が形成される。植毛部８は、台座部６の上面に対して垂直方向であって、ゴルフティ２の中心軸と平行に延びる短い８束の短い毛束１０と、ゴルフティ２の中心軸に対して台座部６の外周部に向かう方向即ち斜め外方向に３度傾斜している８束の長い毛束から構成される。短い毛束と長い毛束は、隣り合う毛束が必ず高さの異なる毛束となるように、交互に１束ずつ配置される。図１のゴルフティ２の側面図には、８束の短い毛束１０のうちの４束の毛束１０ａ，１０ｂ，１０ｃ，１０ｄが示されており、８束の長い毛束１２のうちの５束の毛束１２ａ，１２ｂ，１２ｃ，１２ｄ，１２ｅが示されている。
【００６３】
本実施例における８束の短い毛束１０は、各々がポリアミドの直径０．５ｍｍの毛（線材）を１４本束ねて構成されている。短い毛束１０は、植毛されたときの台座部下面からの高さは、４５．０ｍｍとなるように調整される。
【００６４】
本実施例における８束の長い毛束１２は、各々がポリプロペンの直径０．５ｍｍの毛を１４本束ねて構成されている。植毛されたときの台座部下面からの高さは、４７．０ｍｍとなるように調整される。
【００６５】
台座部６に植毛部８を形成する方法について、図４を用いてより詳細に説明する。台座部６には、まず８束の短い毛束１０が植毛され、次に８束の長い毛束１２が植毛される。毛束の植毛には、台座部６より硬質な金属で形成された植毛孔の径よりわずかに長い棒状の金属片が使用される。以下、この金属片を平線と称する。
【００６６】
最初に植毛される８束の短い毛束１０について、毛束１０ａを植毛する方法を例にとって説明する。毛束１０ａには、９０．０ｍｍよりも長い７本のポリアミドの毛が用いられる。この７本の毛が、束ねられて中央部で二つ折りにされる。平線が７本の毛の折り目に挟み込まれて、毛束と平線が植毛孔に強い力で押し込まれる。短い毛束１０ａのための毛は、垂直に設けられた植毛孔１４ｂに押し込まれる。垂直な植毛孔に押し込まれて固定された毛は、１４本の毛から構成される毛束１０ａとなる。
【００６７】
残る７束の短い毛束が、同様の方法で垂直な植毛孔１４ｄ，１４ｆ，１４ｈ，１４ｊ，１４ｌ，１４ｎ，１４ｐに順に押し込まれて固定され、８束の短い毛束１０が構成される。  ８束の短い毛束１０が台座部６に固定された直後のゴルフティ２の側面図を、図４（ａ）に示す。固定された短い毛束１０は、台座部下面からの高さが４５．０ｍｍとなるように、図４（ｂ）に示すように先端部が切削されて揃えられる。
【００６８】
短い毛束１０の植毛が完了すると、次に長い毛束１２の植毛が開始される。８束の長い毛束１２のなかの毛束１２ａを植毛する方法を例にとって説明する。長い毛束１２ａには、９４．０ｍｍよりも長い７本のポリプロペンの毛が用いられる。この７本の毛が、束ねられて中央部で二つ折りにされて平線が挟み込まれる。長い毛束１２ａのための毛は、マーキング１５ａによって識別される植毛孔１４ａに押し込まれる。植毛孔１４ａの側壁がゴルフティ２の中心軸に対して斜め外方向に３．０度傾斜していることにより、植毛孔に押し込まれた毛は、ゴルフティ２の中心軸に対して、斜め外方向に３．０度の角度で傾斜し、その状態で固定される。
【００６９】
残る７束の短い毛束が、毛束１２ａと同様の方法で斜め外方向に傾斜した残る７個の植毛孔１４ｃ，１４ｅ，１４ｇ，１４ｉ，１４ｋ，１４ｍ，１４ｏに順に押し込まれて固定され、斜め外方向に延びる８束の長い毛束１２が構成される。８束の長い毛束が台座部６に固定された直後のゴルフティ２の側面図を、図４（ｃ）に示す。固定された長い毛束は、長さ４７．０ｍｍとなるように、図４（ｄ）に示すように先端部が切削されて揃えられる。
【００７０】
切り揃えられた後の長い毛束１２を構成する毛の大部分の先端部は、外側に傾斜して植毛されているために、短い毛束１０を構成する毛の大部分の先端部よりも、台座部の半径方向にして外側に到達する。短い毛束１０の到達位置と、長い毛束１２の先端部の到達位置の差は、平均で２．３ｍｍである。
【００７１】
ゴルフティ２にゴルフボール１６を載せた状態のｓ図を図５に示す。本実施例において使用されるゴルフボール１６の直径は４２．７ｍｍであって、重量は４５．９ｇである。ゴルフボール１６の大きさと重量は、日本国内において最も広く一般に流通しており、公式試合に用いられるゴルフボールとほぼ一致している。
【００７２】
ゴルフティ２は、８束の短い毛束１０の先端部が、ゴルフボール１６の下部をほとんど変形することなく支持する。このとき、ゴルフボール１６は、短い毛束から垂直方向の力を受けるため、少ない本数の毛束によってもゴルフボール１６を効率よく支持することができる。一方、８束の長い毛束１２は、ゴルフボール１６と接触することによって、３．０度傾斜していた外方向に更に開くように、規則正しく弾性変形する。長い毛束１２の先端部は、弾性変形後も短い毛束１０よりも高い位置に到達しており、ゴルフボール１６に対して、変形前の位置に戻ろうとする力を作用させる。この結果、本実施例のゴルフティ２は、短い毛束１０と長い毛束１２によってゴルフボール１６を異なる２つの高さでバランス良く支持し、しかも長い毛束１２がゴルフボール１６の外周を締め付けるように均等な力で押さえて、ゴルフボール１６を効率よく安定して支持する。
【００７３】
上記のように長い毛束がゴルフボール１６の周囲にボールを保持する均等な力を作用させることで、ゴルフティ２上のゴルフボール１６は、ゴルフティ２の中心で安定して保持される。従来のゴルフティと比較して、風が吹いた場合や、ゴルフティ２の基部４が多少傾いた状態で地面若しくは芝に差し込まれている場合にも、ゴルフボール１６は、ゴルフティ２から転げ落ちにくい。
【００７４】
ゴルフティ２がゴルフボール１６を安定して支持することを検証した結果を、図６に示す。図６は、水平な状態でゴルフボール１６を載せたゴルフティの台座部を徐々に傾けていき、ボールが転がり落ちる角度を測定した結果である。実験は、本実施例のゴルフティ２と、２種類の比較例となるゴルフティで実施された。比較例１のゴルフティは、高さ４６．０ｍｍの毛束が垂直且つ環状に植毛されたゴルフティである。比較例２のゴルフティは高さ２８．０ｍｍの毛束が垂直且つ環状に植毛されたゴルフティである。図５に示す落下角度は、３回の同一条件の測定の結果を平均したものである。
【００７５】
測定の結果、本実施例のゴルフティ２は、台座部６を平均１８度傾けたときにゴルフボール１６が落下した。これに対して、比較例１のゴルフティは、台座部を平均１４度傾けたときにゴルフボール１６が落下した。比較例２のゴルフティは、台座部を平均１３度傾けたときにゴルフボール１６が落下した。本実施例のゴルフティ２が比較例１及び比較例２のゴルフティよりも大きく傾くまでゴルフボール１６を保持できることは、ゴルフボール１６に風が吹き付けた場合や、ゴルフボール１６を若干上方から落としてゴルフティ２に載せた場合や、そのように落としたゴルフボール１６がゴルフティの植毛部の中心から外れた位置に載せられた場合であっても、ゴルフボール１６が転がり落ちにくく、より安定してゴルフボールを保持できることを示している。
【００７６】
更に、本実施例のゴルフティ２は、ゴルフボール１６がゴルフティ２の上方から落とされて中心から多少ずれた位置に置かれた場合であっても、ゴルフボール１６を保持することができる。ゴルフティ２が中心からどの程度ずれた位置に落とされたゴルフボール１６を落下させずに保持できるかを検証した結果を、図７に示す。また比較のために、毛束の高さが均一で毛束が垂直且つ環状に植毛されているゴルフティについて、同様の条件でゴルフボール１６を支持できるか否かを検証した結果を図８に示す。尚、比較のためのゴルフティの毛束の長さは、ゴルフティ２よりも１ｍｍ短い４６ｍｍである。
【００７７】
ゴルフティ上のゴルフボール１６が落とされる位置は、ゴルフティの中心からの距離が２ｍｍから１２ｍｍまで２ｍｍ間隔で６水準設定した。また、ゴルフボール１６を落とす高さはゴルフティの毛束の先端からの高さで測定することとして、２ｍｍから１０ｍｍまで２ｍｍ間隔で、５水準を設定した。おのおのの実験は各３回ずつ行っている。図７及び図８に示す実験結果は、ゴルフボール１６がゴルフティ上に保持されたときを○印で示し、ゴルフボール１６がゴルフティから落ちた場合を×印で示している。
【００７８】
図７に示すように、本実施例のゴルフティ２は、毛束の先端からの高さを８ｍｍに設定し、ゴルフティ２の中心から１２ｍｍの位置にゴルフボール１６を落とした際に、初めてゴルフボールが落下した。それ以下の高さからゴルフボール１６を落とした場合には、ボール１６は全く落下せず、また、中心からの距離が１０ｍｍ以下の位置にゴルフボール１６を落とした場合にも、ゴルフボール１６は全く落下しなかった。これに対して、図８に示すように、比較例のゴルフティは、毛束の先端からの高さを２ｍｍに設定し、ゴルフティ２の中心から８ｍｍの位置にゴルフボール１６を落とした際に、ゴルフボール１６を支持することができず、ゴルフボール１６が落下した。本実施例のゴルフティ２が、より中心から離れた位置にボールを落とした場合でもボールを保持できることは、この検証から明らかである。この結果から、実際のプレーにおいて、ゴルフボール１６をゴルフティ２にずれて置いた場合であっても、ゴルフボール１６が落ちにくく、より安定してゴルフボール１６を保持できることが示された。
【００７９】
しかも、本実施例のゴルフティ２は、８束の短い毛束の先端部と、８束の長い毛束の先端部が、ゴルフボール１６を点支持している。この結果、ゴルフボール１６と短い毛束１０及び長い毛束１２の接触範囲は、均一に分散して広いにも関わらず、実際の面積は非常に小さい。このため、本実施例のゴルフティ２とゴルフボール１６の間の接触抵抗は非常に低減されている。更にポリアミド製の短い毛束１０とポリプロペン製の長い毛束１２は、互いに協働して非常に効率よくゴルフボール１６を支持しているため、本実施例の如く毛束の数が少ない場合であってもゴルフボールは安定する。毛束の数が少ない上に、短い毛束１０と長い毛束１２は、スイング時にゴルフクラブのヘッドが接触すると容易に曲げられるために、プレイヤーが毛束を叩いた場合でも反力をほとんど感じない。この結果、本実施例のゴルフティ２は、従来の木製又は樹脂製の棒状のゴルフティと比較すると、ゴルフボール１６を安定して支持できると同時に、接触抵抗の低減、クラブの振り抜き感の良さ、及び打球の方向の高い安定性を実現しており、ゴルフボール１６の飛距離をのばして、プレイヤーが意図した方向に打球を飛ばすことができる。また、本実施例のゴルフティ２は、毛束の部分を打っても、ゴルフティ２全体が地面又は芝から抜けて飛んでしまう可能性が低く、ゴルフティ２が紛失しにくい。
【００８０】
又、ゴルフボール１６を載せたゴルフティ２は、図５に示す状態で、片手で包み込むように保持し、地面又は芝に正確且つ容易に差し込むことができる。ゴルフボール１６を置いた状態でゴルフティ２を持つときは、傾斜している長い毛束１２が最初から傾斜していた方向に更に開くように規則正しく弾性変形するので、プレイヤーは手に違和感を感じることがない。更に、ゴルフティ２の台座部６は円錐台形であるので側面に指をかけやすく、台座部６の下面まで基部４を確実に地面又は芝に差し込むことができる。
【００８１】
本実施例は、植毛部８が８束の短い毛束１０と、８束の長い毛束１２から構成されており、各々の毛束が１４本の毛から成る場合について説明したが、環状に植毛する間隔をより詰めて植毛する毛束の束数を各々１０束若しくはそれ以上の偶数とすることが可能である。また、植毛する毛の径をより太くして毛束を構成する毛の本数を減らしたり、植毛する毛の径をより細くして毛束を構成する毛の本数を増やしたりする事が可能である。
【００８２】
本実施例のゴルフティ２は、ゴルフボール１６を接触抵抗の低い状態で、安定して支持することができる。また、ゴルフティ２は、クラブの振り抜き感が良く、従来よりもゴルフボール１６を安定した方向に飛ばすことのできるゴルフティである。
（第２実施例）  本実施例のゴルフティと第１実施例のゴルフティ２とは、毛束を構成する毛の太さと、長さと、長い毛束の外周部に向かう角度が異なっている。短い毛束には、ポリアミドの直径０．６ｍｍの毛が一束当たり１４本用いられる。長い毛束には、ポリプロペンの直径０．４ｍｍの毛が一束当たり１４本用いられる。長い毛束は、ゴルフティの中心軸に対して台座部６の外周部に向かう方向に６度傾斜している。短い毛束は、植毛されたときの台座部下面からの高さが３０．０ｍｍとなるように調整される。長い毛束は、植毛されたときの台座部下面からの高さが３２．０ｍｍとなるように調整される。
【００８３】
本実施例のゴルフティは、短い毛束に直径０．６ｍｍの太い毛を使用して、ゴルフボール１６を支持する力をより強くする。短い毛束は、ゴルフボール１６が載せられた場合でもほとんど弾性変形を起こさないために、ボールを保持する高さを常時一定にすることができる。一方で、長い毛束に直径０．４ｍｍのより細い毛を使用し、しかも傾斜角を大きくすることで、長い毛束がよりスムーズに均一な弾性変形をおこして、ゴルフボール１６を支持することができる。
（第３実施例）  図９に本実施例のゴルフティ２２の側面図を示し、図１０に台座部２６の上面図を示す。第１実施例と同一の構成のものについては、同一符号を付与して重複説明を割愛する。
【００８４】
図１０に示すように、本実施例のゴルフティ２２の台座部２６の上面には、２０個の植毛孔３６ａ〜３６ｊ及び植毛孔３８ａ〜３８ｊがゴルフティ２２の中心軸と同一中心の仮想された２つの同心円上に配置される。植毛孔の配置を、図１０に模式的に示す。本実施例における植毛孔の断面形状は全て半径１．０ｍｍの円形である。植毛孔３６ａ〜３６ｊの中心から台座部６の上面の中心までの距離は、全て１０．０ｍｍとなっている。植毛孔３８ａ〜３８ｊの中心から台座部６の上面の中心までの距離は、全て８．０ｍｍとなっている。即ち植毛孔３６ａ〜３６ｊ及び植毛孔３８ａ〜３８ｊは、台座部６の上面の中心から７．０ｍｍ以上１１．０ｍｍの領域に配置される。ここで、１０個の植毛孔３６ａ〜３６ｊは、植毛孔の側壁がゴルフティ２２の中心軸に対して斜め外方向に２．０度傾斜している。
【００８５】
本実施例のゴルフティ２２の植毛部２８は、植毛孔３８ａ〜３８ｊに１束ずつ植毛される１０束の短い毛束３０と、植毛孔３６ａ〜３６ｊに１束ずつ植毛される１０束の長い毛束３２から構成される。図９のゴルフティ２２の側面図には、１０束の短い毛束３０のうちの４束の毛束３０ａ，３０ｂ，３０ｃ，３０ｄが示されており、又１０束の長い毛束３２のうちの５束の毛束３２ａ，３２ｂ，３２ｃ，３２ｄ，３２ｅが示されている。
【００８６】
短い毛束３０には、ポリアミドの直径０．７ｍｍの毛が用いられる。毛束を構成する毛の本数は１２本である。短い毛束３０は、台座部２６の上面の内側の植毛孔３８ａ〜３８ｊに一束ずつ平線を用いて垂直に固定され、台座部下面からの高さが３７．０ｍｍとなるように調整される。
【００８７】
長い毛束３２には、ポリプロペンの直径０．３ｍｍの毛が用いられる。毛束を構成する毛の本数は１４本である。長い毛束３２は、台座部２６の外周部に近い植毛孔３６ａ〜３６ｊに一束ずつ平線を用いて固定される。長い毛束３２ａは、植毛孔の角度に沿って固定されるために、外方向に２．０度傾斜しつつ上方に延びており、植毛されたときの台座部下面からの高さが４０．０ｍｍとなるように調整される。
【００８８】
本実施例のゴルフティ２２は、短い毛束３０に太い毛を使用して、ゴルフボール１６を支持する力をより強くする。短い毛束３０は、ゴルフボール１６が載せられた場合でもほとんど弾性変形を起こさないために、ボールを保持する高さを常時一定にすることができる。一方で、長い毛束３２に直径０．３ｍｍのより細い毛を使用することで、長い毛束がスムーズに均一な弾性変形をおこすことができる。長い毛束３２の毛は細くなっているが、より外側に配置することで傾斜角を小さくし、１束当たりの毛の本数を増やし、且つ植毛する毛束の数を１０束に増やして毛束と毛束の間隔を狭くしていることで、ゴルフボール１６の外周を押さえて支持する十分な力を得ている。
【００８９】
本実施例のゴルフティ２２が、植毛部２８の中心から多少ずれた位置にゴルフボール１６を落とされた場合であっても、ボールを保持できることを検証した結果を図１１に示す。比較のために、毛束の高さが均一で毛束が垂直且つ環状に植毛されている従来品のゴルフティについて、同様の条件でどの程度ゴルフボール１６を保持できるかを検証した結果を図１２の比較例２と、図１３の比較例３に示す。尚、比較のためのゴルフティの毛束の長さは、ゴルフティ２２の長い毛束よりも６ｍｍ短い３４ｍｍ（比較例２）と、ゴルフティ２２の長い毛束よりも１７ｍｍ短い２３ｍｍ（比較例３）である。
【００９０】
図１１に示すように、本実施例のゴルフティ２２は、毛束の先端からの高さを４ｍｍに設定し、ゴルフティ２２の中心から１２ｍｍの位置にゴルフボール１６を落とした際に、初めてゴルフボールが落下した。１０ｍｍの高さからゴルフボール１６を落とした場合には、ゴルフティ２２の中心からのずれ量が１０ｍｍ以下であればボール１６はゴルフティ２２から落下せず、ゴルフティ２２上に保持された。また２ｍｍ以下の高さからゴルフボール１６を落とした場合には、ゴルフティ２２の中心から１２ｍｍずれた位置に落とした場合でもボール１６はゴルフティ２２から落下せず、ゴルフティ２２上に保持された。
【００９１】
これに対して、図１２に示すように、比較例２のゴルフティは、毛束の先端から２ｍｍ離れた高さからゴルフボール１６を落とすと、ゴルフティの中心から６ｍｍずれた位置にゴルフボール１６を落とした場合であっても、ゴルフボール１６が落下した。また、比較例３のゴルフティは、毛束の先端から８ｍｍ離れた高さからゴルフボール１６を落とすと、ゴルフティの中心から６ｍｍずれた位置にゴルフボール１６を落とした場合であっても、ゴルフボール１６が落下した。このように、比較例２及び比較例３のゴルフティは、実施例３のゴルフティ２２よりも低い位置からより中心に近い位置にゴルフボール１６を落とした場合であっても、ゴルフボール１６を保持できないことが明らかとなった。本実施例のゴルフティ２２が、従来品の比較例２及び比較例３よりもゴルフボール１６を安定して保持できることは、この検証から明らかである。
（第４実施例）  図１４に本実施例のゴルフティ４２の台座部４４に配置される植毛孔  の配置を模式的に示す。本実施例のゴルフティ４２と第１実施例のゴルフティ２とは、台座部における植毛孔の配置と、固定される毛束一束当たりの本数が異なっている。
【００９２】
本実施例のゴルフティ４２の台座部４４には、円形の凹部４５と、側壁がゴルフティ４２の斜め外方向に３．０度傾斜している植毛孔４６ａ〜４６ｌと、垂直な植毛孔４８ａ〜４８ｄが設けられている。植毛孔４６ａ〜４６ｌと、垂直な植毛孔４８ａ〜４８ｄは、台座部４４の上面に仮想される正多角形の所定の頂点に、規則正しく配置される。
【００９３】
長い毛束が植毛される植毛孔４６ａ〜４６ｌは、台座部４４の上面に正１６角形を仮想した場合の１６の頂点の中で、４個の頂点を規則正しく除いた場合に残される１２の頂点の位置に配置されている。この結果、植毛孔４６ａ〜４６ｌに固定される長い毛束は、３束ずつから構成される毛束の集合体が、台座上で略四角形を構成する。
【００９４】
短い毛束が植毛される垂直な植毛孔４８ａ〜４８ｄは、植毛孔４６ａ〜４６ｌの位置を決定するために仮想された正１６角形の頂点の中で、規則正しく取り除かれた４個の頂点の位置とほぼ一致し、台座部４４の中心により近い位置に配置されている。この結果、植毛孔４８ａ〜４８ｄに配置される４束の短い毛束は、長い毛束よりも内側であって、正方形の頂点の位置に固定される。
【００９５】
短い毛束には、ポリアミドの直径０．５ｍｍの毛が用いられる。短い毛束を構成する毛の本数は１６本である。長い毛束には、ポリプロペンの直径０．５ｍｍの毛が用いられる。毛束を構成する毛の本数は１２本である。
【００９６】
本実施例のゴルフティ４２は、ゴルフボール１６を配置したときに、短い毛束一束毎にかかるゴルフボール１６の荷重が全て均一となり、且つ長い毛束一束毎にかかるゴルフボール１６の荷重が全て均一となる。本発明のゴルフティ４２は、短い毛束と長い毛束を各々バランス良く配置することにより、接触抵抗を低減した状態で、安定してゴルフボールを支持することができる。
（第５実施例）  図１５に本実施例のゴルフティ５２の側面図を模式的に示す。本実施例のゴルフティ５２は、台座部５４と、植毛部８から構成される。植毛部８の構成は、第１実施例と同一であり、同一符号を付与して重複説明を割愛する。
【００９７】
台座部５４は、植毛部８が設けられる部分が、植毛部を支持するために充分な剛性を有する樹脂、木材等で形成されている。台座部５４は略平坦な外観を有しており、台座部５４の形状と略一致する孔が設けられている人工芝やゴムマットに填め込んで使用することができる。また、植毛部８の大きさと対応する孔を有する人工芝やゴムマットに下側から取り付けて、植毛部８が人工芝やゴムマットから突き出した状態で使用することができる。
【００９８】
ゴルフティ５２は従来のゴルフティよりも台座部５４が広いことに加えて、人工芝やゴムマットによって支持されるために、多少の凹凸のある場所に置かれた場合でも倒れることがない。ゴルフティ５２は、長い毛束１０と短い毛束１２によってゴルフボール１６を異なる２つの高さで安定するため、ゴルフティ５２の台座部５４がわずかに傾斜して配置され、これに伴って植毛部８全体がわずかに傾いている場合であっても、ゴルフボール１６は転がり落ちることなく安定して支持される。
【００９９】
このように、本実施例のゴルフティ５２は地面又は芝に差し込む基部がなくとも、倒れることがなく、ゴルフボール１６を安定して支持することができる。ゴルフティ５２によって、これまでブラシ型のティのアップが不可能であった場所、即ち石の上、コンクリートの上、ゴルフ練習場等でも、ブラシ型のゴルフティを使用してゴルフボール１６を打つことが可能となった。
（第６実施例）  図１６に、本実施例のゴルフティ５６の側面図を模式的に示す。本実施例のゴルフティ５６は、台座部５８と、植毛部８から構成される。
【０１００】
本実施例のゴルフティ５６の台座部５８は円筒形をしており、上面に植毛部８が設けられている。台座部５８は、充分な剛性を有する樹脂又は木材で形成されている。台座部５８は略平坦な外観を有しており、地面に静置した状態で用いられる。
【０１０１】
本実施例のゴルフティ５６は地面又は芝に差し込む基部がなくとも、地面に静置した状態でゴルフボール１６を支持することができる。ゴルフティ５６は、コースで使用できる他、自宅の練習等でブラシ型のゴルフティによって練習を行いたい場合にも使用することができる。
（第７実施例）  図１７に、本実施例のゴルフティ６２の側面図を模式的に示す。本実施例のゴルフティ６２は、台座部６４と、取付部６６と、植毛部８から構成される。
【０１０２】
取付部６６は、台座部の下面に設けられており、ゴルフ練習場のゴルフボール供給手段に固定されているゴムティに挿入して固定したり、ゴムティの代わりにボール供給手段に取り付けることが可能な形状を有している。本実施例における取付部６６は、凸部６８が設けられており、ゴルフボール供給手段の凹部に固定される。ゴルフボール供給手段に取り付けられたゴルフティ６２は、ゴルフボール供給手段の上下動に従って動くことで、植毛部８にボールがのせられる。
【０１０３】
本実施例のゴルフティ６２は、従来ゴルフ練習場で使用されているゴム製のゴルフティよりも振り抜き感がよく、ゴルフクラブを傷つけにくい。また本実施例のゴルフティ６２を適用することにより、ゴルフコースで使用するゴルフティと同一のものを練習場で使用することが可能となり、より効率よくゴルフの練習ができる。
【０１０４】
本実施例のゴルフティは、ゴルフボール供給手段の取付部の形状に合わせて、台座部と取付部の形状を変更することが可能である。台座部と取付部の形状を変形した応用例を図１８に示す。応用例のゴルフティ７２は、ゴルフ練習場のゴルフボール供給手段の凸部に固定するのに適した形状を有している。ゴルフティ７２は、台座部７４が下方向に延びており、下面にゴルフボール供給手段の凸部と形状が一致する嵌合孔７６を有している。嵌合孔７６によってゴルフティ７２がゴルフボール供給手段に固定される。
【０１０５】
以上、第１実施例から第７実施例において本発明の具体例を詳細に説明したが、これらは例示にすぎず、特許請求の範囲を限定するものではない。例えば実施例においては、長い毛束の角度が２．０度、３．０度、６．０度のゴルフティについて説明したが、毛束をより中心に近い位置に植毛した場合には、傾斜角が７．０度以下の範囲で角度を適宜設定することができる。同様に、長い毛束と短い毛束の高さの違いが２．０ｍｍと３．０ｍｍである場合について説明を行ったが、長い毛束と短い毛束を植毛する位置を、台座部の中心から半径６ｍｍ以上１１ｍｍ以下の範囲で異なる同心円上に設定することによって、毛束の先端部の高さの差をより大きくした場合でもゴルフボールを安定して支持することが可能である。このように、本明細書または図面に説明した技術要素は、単独あるいは組み合わせによって技術的有用性を発揮するものであり、実施例に記載の組み合わせに限定されるものではない。
【０１０６】
また、特許請求の範囲に記載の技術には、以上に例示した具体例における材質、形状、寸法、本数、配置などを様々に変形、変更したものが含まれる。
【０１０７】
例えば、毛束を固定する方法は、植毛孔に平線を用いて固定する方法の他に、毛束を植毛孔に挿入して樹脂で埋設する方法も可能である。
【０１０８】
例えば、ゴルフティをゴルフ練習場のボール供給手段に固定するための取付部の構造と形状は、ボール供給手段の取付部の形状に合わせて適宜変更が可能である。
【図面の簡単な説明】
【０１０９】
【図１】第１実施例のゴルフティの側面図である。
【図２】第１実施例のゴルフティの台座部の断面図である。
【図３】第１実施例のゴルフティの台座部の上面図である。
【図４】第１実施例のゴルフティの植毛工程を模式的に示す図である。
【図５】第１実施例のゴルフティにゴルフボールを載せた状態を示す図である。
【図６】第１実施例のゴルフティに載せたゴルフボールの安定性の評価結果を示す図である。
【図７】第１実施例のゴルフティの中心から所定の距離にゴルフボールを載せた場合のゴルフボールの安定性の評価結果を示す図である。
【図８】比較例１のゴルフティの中心から所定の距離にゴルフボールを載せた場合のゴルフボールの安定性の評価結果を示す図である。
【図９】第３実施例のゴルフティの側面図である。
【図１０】第３実施例のゴルフティの台座部の上面図である。
【図１１】第３実施例のゴルフティの中心から所定の距離にゴルフボールを載せた場合のゴルフボールの安定性の評価結果を示す図である。
【図１２】比較例２のゴルフティの中心から所定の距離にゴルフボールを載せた場合のゴルフボールの安定性の評価結果を示す図である。
【図１３】比較例３のゴルフティの中心から所定の距離にゴルフボールを載せた場合のゴルフボールの安定性の評価結果を示す図である。
【図１４】第４実施例のゴルフティの台座部の植毛孔の配置を模式的に示す図である。
【図１５】第５実施例のゴルフティの側面図である。
【図１６】第６実施例のゴルフティの側面図である。
【図１７】第７実施例のゴルフティの側面図である。
【図１８】第７実施例の応用例のゴルフティの側面図である。
【符号の説明】
【０１１０】
２，２２，４２，５２，５６，６２，７２：  ゴルフティ
４：  基部
６，２６，４４，５４，５８，６４，７４：  台座部
７，４５：凹部
８，２８：  植毛部
９：溝
１０，３０：  短い毛束
１２, ３２：  長い毛束
１４ａ〜１４ｐ，３６ａ〜３６ｊ，３８ａ〜３８ｊ，４６ａ〜４６ｌ，４８ａ〜４８ｄ：  植毛孔
１５ａ〜１５ｈ：マーキング
１６：  ゴルフボール
６６：取付部
【図１】
2006340905.tif 000003
【図２】
2006340905.tif 000004
【図３】
2006340905.tif 000005
【図４】
2006340905.tif 000006
【図５】
2006340905.tif 000007
【図６】
2006340905.tif 000008
【図７】
2006340905.tif 000009
【図８】
2006340905.tif 000010
【図９】
2006340905.tif 000011
【図１０】
2006340905.tif 000012
【図１１】
2006340905.tif 000013
【図１２】
2006340905.tif 000014
【図１３】
2006340905.tif 000015
【図１４】
2006340905.tif 000016
【図１５】
2006340905.tif 000017
【図１６】
2006340905.tif 000018
【図１７】
2006340905.tif 000019
【図１８】
2006340905.tif 000020